(57)【要約】【課題】  均斉度を確保できるとともに、軽量化と薄型化とを両立できる照明器具を提供する。【解決手段】  照明器具は、厚み方向で対向する両側面にそれぞれ透光性を有する表示パネル２，３を備える筐体１と、該筐体１内の上端側に表示パネル２，３と厚み方向で対向しないように設けられる蛍光ランプの光を下端側へ反射するように筐体１内に設けられた第１反射部材４ａと、筐体１内の下端側に設けられ、蛍光ランプの光を反射して表示パネル２，３から外方へ出射させる第２反射部材５とを備え、第２反射部材５は、上端側から下端側へいくほど筐体１の表示パネル２に近接し、蛍光ランプの光を前面側へ反射する第１反射片５０ａと、上端側から下端側へいくほど筐体１の表示パネル３に近接し、蛍光ランプの光を後面側へ反射する第２反射片５１ａとを備える。【選択図】図１
2007080681.tif 000002
【特許請求の範囲】
【請求項１】
厚み方向で対向する両面に透光性を有するパネルを備える筐体と、該筐体内において前記厚み方向と交差する方向の一端側に前記パネルと厚み方向で対向しないように設けられる光源の光を、前記厚み方向と交差する方向の他端側へ反射するように前記筐体内に設けられた第１反射部材と、前記筐体内の前記他端側に設けられ、光源の光を反射して前記パネルから外方へ出射させる第２反射部材とを備え、前記第２反射部材は、前記一端側から前記他端側へいくほど一方のパネルに近接し、光源の光を前記一方のパネル側へ反射する第１反射片と、前記一端側から前記他端側へいくほど他方のパネルに近接し、光源の光を前記他方のパネル側へ反射する第２反射片とを有し、両反射片は、各々の前記一端側の部位で連結されていることを特徴とする照明器具。
【請求項２】
前記厚み方向、及び前記厚み方向と交差する方向のそれぞれに交差する方向における前記第１反射部材の反射面の断面形状は、略インボリュート曲線形状であることを特徴とする請求項１に記載の照明器具。
【請求項３】
前記第２反射部材の両反射片の連結部位には、前記一端側へ突出する第３反射片が設けられていることを特徴とする請求項１又は２に記載の照明器具。
【請求項４】
前記両側面の近傍には、光源に近接するほど遮光性が高くなる遮光部材が設けられていることを特徴とする請求項１〜３のいずれか１項に記載の照明器具。
【発明の詳細な説明】
【技術分野】
【０００１】
本発明は、サイン灯等に用いられる照明器具に関する。
【背景技術】
【０００２】
従来から、駅名表示サイン灯や、店舗やビルディング等で使用されるサイン灯等に面光源として用いられる照明器具が提供されており、このような照明器具としては、いわゆる内照式と導光式（エッジライト方式、或いはサイドライト方式ともいう）との２つのタイプがあった。
【０００３】
まず、内照式の照明器具について簡単に説明する。内照式の照明器具は、表面に駅名や店舗名等が記されたガラス板やアクリル板等からなる表示パネルの裏面側に蛍光ランプ等の光源を配置することにより、表示パネルを透過した光源の光を用いて照明を行うものであり、例えば特許文献１に示すように、前面が開口する直方体形状の筐体と、筐体の前面開口を閉塞する表示パネルと、筐体内部底面に配置される反射板と、反射板の上方に所定の間隔を隔てて複数本並行配置される直管型蛍光ランプとを備えたものが提供されている。
【０００４】
次に、導光式の照明器具について簡単に説明する。導光式の照明器具は、ガラス板やアクリル板等からなる導光板の一端側に直管型蛍光ランプ等の線状光源を配置することにより、導光板内で線状光源の光を全反射させて線状光源の光を導光板の他端側へ伝えるとともに、一部を導光板の表面から外方へ出射させることで照明を行うものであり、例えば特許文献２に示すように、アクリル製の導光板と、導光板の表面側に配置される表示パネルと、導光板の裏面側に配置されて導光板内を伝わる光を表面側へ反射する反射板と、導光板の上部側端面近傍に配置される冷陰極蛍光ランプとを備えたものが提供されている。
【特許文献１】特開２００３−２２７０１号公報（第１図及び第２図）
【特許文献２】特開２００１−２７２９３６号公報（第１図及び第２図）
【発明の開示】
【発明が解決しようとする課題】
【０００５】
ところで、内照式の照明器具では、表示パネルの裏面側に蛍光ランプ等の光源を配置しているので、蛍光ランプと近い表示パネルの部位と、蛍光ランプから遠い表示パネルの部位とで輝度が大きく異なり、良好な均斉度を得るためには、表示パネルから蛍光ランプを離して配置する必要があった。つまり、内照式の照明器具において良好な均斉度を得ようとした場合には、照明器具の厚みが厚くなって、薄型化が図れないという問題があった。
【０００６】
これに対して、導光式の照明器具では、導光板内を伝播させた蛍光ランプ等の光源の光により照明を行うので、導光板の厚みを薄くして照明器具の薄型化を図ったとしても、内照式の照明器具のように均斉度が悪化してしまうことがないという利点があった。
【０００７】
しかしながら、このような導光板は、価格が高く重量が重いガラス板やアクリル板等を用いて形成されているため、内照式の照明器具に比べてコストが高くなり、また、重量も重くなってしまうという新たな問題が生じていた。この問題点は、特に照明器具の発光面のサイズを大きくした場合に顕著であった。また、導光式の照明器具は、上述したように、導光板内を伝播させた蛍光ランプ等の光源の光により照明を行うものであるから、導光板の厚みを薄くすると、導光板に入射する光量が減って発光面が暗くなってしまうという問題もあった。
本発明は上述の点に鑑みて為されたもので、その目的は、均斉度及び明るさを確保しつつも薄型化を図ることができ、しかも低コスト化及び軽量化を図ることができる照明器具を提供することである。
【課題を解決するための手段】
【０００８】
上述の課題を解決するために、請求項１の照明器具の発明では、厚み方向で対向する両面に透光性を有するパネルを備える筐体と、該筐体内において前記厚み方向と交差する方向の一端側に前記パネルと厚み方向で対向しないように設けられる光源の光を、前記厚み方向と交差する方向の他端側へ反射するように前記筐体内に設けられた第１反射部材と、前記筐体内の前記他端側に設けられ、光源の光を反射して前記パネルから外方へ出射させる第２反射部材とを備え、前記第２反射部材は、前記一端側から前記他端側へいくほど一方のパネルに近接し、光源の光を前記一方のパネル側へ反射する第１反射片と、前記一端側から前記他端側へいくほど他方のパネルに近接し、光源の光を前記他方のパネル側へ反射する第２反射片とを有し、両反射片は、各々の前記一端側の部位で連結されていることを特徴とする。
【０００９】
請求項２の照明器具の発明では、請求項１の構成に加えて、前記厚み方向、及び前記厚み方向と交差する方向のそれぞれに交差する方向における前記第１反射部材の反射面の断面形状は、略インボリュート曲線形状であることを特徴とする。
【００１０】
請求項３の照明器具の発明では、請求項１又は２の構成に加えて、前記第２反射部材の両反射片の連結部位には、前記一端側へ突出する第３反射片が設けられていることを特徴とする。
【００１１】
請求項４の照明器具の発明では、請求項１〜３のいずれか１項の構成に加えて、前記両側面の近傍には、光源に近接するほど遮光性が高くなる遮光部材が設けられていることを特徴とする。
【発明の効果】
【００１２】
本発明は、両面発光を行いながらも、筐体内において厚み方向と交差する方向の一端側に設けられる光源の光が弱くなる他端側から筐体の外方へ出射される光の量を増やしているので、筐体の他端側において輝度が大幅に下がることを抑制でき、これにより発光面の均斉度を向上できるから、従来の内照式の照明器具のように蛍光ランプと近い表示パネルの部位と蛍光ランプから遠い表示パネルの部位とで輝度が大きく異なってしまうことがなくなり、その上、導光板を用いずに第１反射部材及び第２反射部材を用いることで光源の光を筐体の外方へ出射させるので、従来の導光式の照明器具のように薄型化を図った際に発光面が暗くなってしまうことがないから、均斉度及び明るさを確保しつつも薄型化を図ることができ、しかも、低コスト化及び軽量化を図ることができるという効果を奏する。
【発明を実施するための最良の形態】
【００１３】
以下、本発明の一実施形態について、図１〜図６を参照して説明する。尚、下記の実施形態では、図１の上方を照明器具の上方、図１の下方を照明器具の下方、図１の右方を照明器具の後方、図１の左方を照明器具の前方、図１の紙面手前方を照明器具の右方、図１の紙面奥方を照明器具の左方とする。
【００１４】
本実施形態の照明器具は、例えば駅等において、駅名表示のために用いられる駅名表示サイン灯であり、図１及び図２に示すように、厚み方向（前後方向）で対向する両側面にそれぞれ透光性を有する表示パネル２，３を備える筐体１と、該筐体内において前記厚み方向と交差する方向の一端側（上端側）に表示パネル２，３と厚み方向で対向しないように設けられる蛍光ランプＬ１，Ｌ２（図２（ａ）参照）の光を、前記厚み方向と交差する方向の他端側（下端側）へ反射するように筐体１内に設けられた第１反射部材４ａ，４ｂと、筐体１内の下端側に設けられ、蛍光ランプＬ１，Ｌ２の光を反射して表示パネル２，３から外方へ出射させる第２反射部材５とを備えている。尚、図１は、照明器具の右面図であり、図１では後述する右側の側板部１０ｂと、最も右側に位置するソケット台７０と蛍光ランプＬ１とを省略している。
【００１５】
本実施形態では、蛍光Ｌ１，Ｌ２として高周波点灯専用の直管形蛍光ランプを用いているが、この他の蛍光ランプを用いてもよく、さらには蛍光ランプに限らず、ＬＥＤ等様々な光源を用いるようにしてもよい。
【００１６】
筐体１は、図２（ａ），（ｂ）に示すように、例えば衝撃に強く、錆難いステンレス板等を用いて厚み（前後方向の長さ寸法）が薄い直方体状に形成されている。さらに詳しく説明すると、筐体１は、厚み方向の両面（前後面）が開口した矩形状の枠体１０と、枠体１０の前面開口を閉塞する前面板１１と、枠体１０の後面開口を閉塞する後面板１２とで構成されている。
【００１７】
まず、枠体１０について説明する。枠体１０は、左右方向を長手方向とする長尺矩形板状の天板部１０ａ、天板部１０ａの長手方向両端部からそれぞれ垂設され互いに並行する一対の側板部１０ｂ，１０ｂ、及び両側板部１０ｂ，１０ｂの下端部同士を連結する長尺矩形板状の底板部１０ｃとからなる。
【００１８】
天板部１０ａの下面には、図２（ａ）に示すように、第１反射部材４ａ，４ｂを固定ねじ８ａ…を用いて取り付けるための取付片１３が各反射部材４ａ，４ｂに対してそれぞれ一対ずつ設けられている。加えて、天板部１０ａの下面には、その右方に蛍光ランプＬ１装着用のソケット７０ａを備える一対のソケット台７０が左右方向に所定距離隔てて取り付けられるとともに、左方に、蛍光ランプＬ２装着用のソケット７１ａを備える一対のソケット台７１が左右方向に所定距離隔てて取り付けられ、これらソケット７０，７１に蛍光ランプＬ１，Ｌ２を装着した際には、これら蛍光ランプＬ１，Ｌ２の中心軸Ｘ１，Ｘ２が同軸上に位置するようにしている。
【００１９】
また、天板部１０ａの左右両端部には、筐体１を天井面等の施工面や、天井面に設けられた吊り下げ部材等に取り付けるためのボルト９０が挿通される取り付け孔（図示せず）が設けられている。このボルト９０は、天板部１０ａの図示しない取り付け孔に下方から挿通され、固定用ナット９１を用いて天板部１０ａに固定される。そして、固定用ナット９１から突出するボルト９０の先部を、上記天井面等の施工面や、吊り下げ部材の孔部に挿通させた後に、ボルト９０に取付用ナット９２を螺着することで、筐体１が上記天井面等の施工面や、吊り下げ部材等に取り付けられ、これにより照明器具が所定位置に設置されることになる。
【００２０】
底板部１０ｃの上面には、外部電源（図示せず）からの電力供給を元に、上記のソケット７０ａ，７１ａにそれぞれ蛍光ランプＬ１，Ｌ２の駆動用電力を供給する一対の安定器７２が取り付けられている。また、底板部１０ｃ上面には、第２反射部材５を固定するための固定ねじ８ｂが螺入されるねじ孔（図示せず）を有する固定片１４が設けられている。
【００２１】
両側板部１０ｂ，１０ｂ間には、上下に離間した一対の長尺棒状の支持部材１５，１６が懸架されており、これら支持部材１５，１６には、第２反射部材５を固定するための固定ねじ８ｃ…，８ｄ…が螺着されるねじ孔（図示せず）がそれぞれ設けられている。尚、上記支持部材１５，１６や、固定ねじ８ｃ…，８ｄ…は、蛍光ランプＬ１，Ｌ２の光を妨げないよう、透光性を有する材料等を用いて形成している。
【００２２】
一方、筐体１内には、上記の一対の安定器７２と外部の電源との間にそれぞれ介装されるブレーカＢＫ１，ＢＫ２が収納されている。尚、これら安定器７２や、ブレーカＢＫ１，ＢＫ２等は、後述する第２反射部材５の第１反射片５０ａと第２反射片５１ａとの間の隙間に配置することが好ましく、このように配置すれば、安定器７２やブレーカＢＫ１，ＢＫ２や、それらの影が表示パネル２，３に写らなくなるため、見栄えを向上できる。
【００２３】
次に、枠体１０に取り付けられる前面板１１及び後面板１２について説明する。前面板１１には、表示パネル２を露出させる略矩形状の開口部１１ａが形成されており、後面板１２には、前面板１１と同様、表示パネル３を露出させる略矩形状の開口部１２ａが形成されている。ここで、開口部１１ａ，１２ａの大きさは、天板部１０ａに取り付けた第１反射部材４ａ，４ｂが開口部１１ａ，１２ａから露出しない（つまりはソケット６０ａ，６１ａに蛍光ランプＬ１，Ｌ２を取り付けた際に、これら蛍光ランプＬ１，Ｌ２が開口部１１ａ，１２ａから露出しない）程度の大きさとしている。そして、前面板１１と後面板１２には、それぞれ後述する表示パネル２，３がそれぞれ取り付けられる。
【００２４】
前述の表示パネル２，３は、それぞれアクリル材等の透光性を有する部材を用いて開口部１１ａ，１２ａをそれぞれ閉塞できる程度の大きさの矩形板状に形成されており、照明器具の外面となる表示パネル２，３の表面には、照明器具を設置する駅の駅名や、当該駅の前後の駅名等を示す文字が付されている。ここで、表示パネル２，３を構成するアクリル材としては、乳白色のアクリル材を用いており、これにより表示パネル２，３に蛍光ランプＬ１，Ｌ２の光を拡散する拡散部材としての役割も持たせている。
【００２５】
また、表示パネル２，３の裏方には、図１に示すように、遮光シート６が各表示パネル２，３の裏面全面を覆うようにして取り付けられている。この遮光シート６は、蛍光ランプＬ１，Ｌ２に近接するほど遮光性が高くなるような性質を有するものであり、例えば、図４（ａ）に示すように、丸型のドット６ａが、下端側から上端側へいくほど（言い換えれば、蛍光ランプＬ１，Ｌ２に近接するほど）密に配置されたドットパターンを、白色系インクを用いて透明な樹脂シート６ｂに印刷することで得られる。
【００２６】
以上により構成された筐体１内には、以下のような第１反射部材４ａ，４ｂ及び第２反射部材５が収納される。
【００２７】
第１反射部材４ａは、図３（ａ）に示すように、蛍光ランプＬ１の上面側及び左右両面側を覆うように、長手方向の長さが蛍光ランプＬ１の長さと略同じ長さのアルミ板等の金属板をその短手方向で対称形状となるように折曲してなり、その下面は、蛍光ランプＬ１の反射面として用いるために鏡面仕上げが施されている。さらに詳しく説明すると、蛍光ランプＬ１の反射面となる第１反射部材４ａの下面は凹面となっており、その長手方向（図３（ａ）における左右方向）における断面形状が、略インボリュート曲線形状を左右対称に配置した形状となるようにしてある。
【００２８】
ここで、第１反射部材の反射面の左右方向における断面形状を、図３（ａ）に示すような略インボリュート曲線形状を左右対称に配置した形状とした場合の配光曲線図のシミュレーション結果を図３（ｂ）に示す。これに対する比較例として、図３（ｃ）に示すような略コ字状の反射部材１００を用いた場合の配光曲線図のシミュレーション結果を図３（ｄ）に示す。尚、反射部材１００は、長尺矩形板状の上面部１００ａと、上面部の短手方向両端部から下方へ突出し、下方へいくほど互いに離間する長尺矩形板状の側板部１００ｂ，１００ｂとを備えており、このような反射部材１００は、従来からよく用いられている。そして、図３（ｂ），（ｄ）に示すシミュレーション結果から明らかなように、図３（ａ）に示すような本実施形態の第１反射部材によれば、図３（ｃ）に示す従来例よりも下方光束を全体的に大きくできていることがわかる。
【００２９】
これは、図３（ｃ）に示す比較例（従来例）では、反射面が平面となっているために、反射部材で反射される光の多くが蛍光ランプＬ１側に進み、結果として蛍光ランプＬ１が遮光物となって下方へ進む光が減ってしまっていたのに対し、図３（ａ）に示す本実施形態の第１反射部材４ａでは、反射面を断面がインボリュート曲線形状の面としたことにより、蛍光ランプＬ１を迂回する方向へ反射する光が増え、これにより蛍光ランプＬ１によって光が遮られてしまうことが抑制できるからである。つまり、本実施形態の第１反射部材４ａによれば、比較例では無駄となっていた光を有効に利用することができる。
【００３０】
一方、第１反射部材４ｂは、長手方向の長さ寸法が蛍光ランプＬ２の長さと略同じ長さに形成されている点を除いては第１反射部材４ａと同形状に形成されており、その作用効果は第１反射部材４ａと同様である。尚、各第１反射部材４ａ，４ｂには、固定ねじ８ａ用のねじ挿通孔（図示せず）が所定箇所に設けられている。
【００３１】
第２反射部材５は、ともに略く字状の前側反射板５０と、後側反射板５１とを図２（ａ）に示すように重ね合わせてなる断面逆Ｙ字状のものであり、これら両反射板５０，５１は、いずれも衝撃に強く、錆難いステンレス板等から曲成されており、その幅寸法（左右方向の長さ寸法）は、表示パネル２，３の幅寸法より大きく設定されている。
【００３２】
前側反射板５０は、上端側から下端側へいくほど筐体１の前面（表示パネル２）に近接し、蛍光ランプＬ１，Ｌ２の光を前面側へ反射する第１反射片５０ａと、第１反射片５０ａの上端縁から、蛍光ランプＬ１，Ｌ２の前後方向における対称線Ｚに沿うように突出した第１仕切り板５０ｂとを一体に備え、少なくとも前面側が高い反射率を有する白色に塗装されている。また、第１反射片５０ａの下端部には、第２反射部材５を筐体１に固定するための固定ねじ８ｂが挿通されるねじ挿通孔（図示せず）が設けられ、第１仕切り板５０ｂの上下両端部には、第２反射部材５を上記の固定部材１５，１６にそれぞれ固定するための固定ねじ８ｃ，８ｄが挿通されるねじ挿通孔（図示せず）が設けられている。
【００３３】
一方、後側反射板５１は、上端側から下端側へいくほど筐体１の後面（表示パネル３）に近接し、蛍光ランプＬ１，Ｌ２の光を後面側へ反射する第２反射片５１ａと、第１仕切り板５０ｂと略同形状に形成されて第２反射片５１ａの上端縁から蛍光ランプＬ１，Ｌ２の前後方向における対称線Ｚに沿うように突出する第２仕切り板５１ｂとを一体に備え、少なくとも後面側が高い反射率を有する白色に塗装されている。また、第２反射片５１ａの下端部には、第２反射部材５を筐体１に固定するための固定ねじ８ｂが挿通されるねじ挿通孔（図示せず）が設けられ、第２仕切り板５０ｂの上下両端部には、第２反射部材５を上記の固定部材１５，１６にそれぞれ固定するための固定ねじ８ｃ，８ｄが挿通されるねじ挿通孔（図示せず）が設けられている。
【００３４】
そして、これら反射板５０，５１は、前側反射板５０の第１仕切り板５０ｂの後面と、後側反射板５１の第２仕切り板５１ｂの前面とを、両仕切り板５０，５１のねじ挿通孔が連通するように重ね合わされる。
【００３５】
第２反射部材５は、上記のようにして前側反射板５０と後側反射板５１とを重ね合わせて断面が逆Ｙ字状となるように構成されており、各々の上端側の部位で連結された両反射片５０ａ，５１ａを備えるとともに、重ね合わされた仕切り板５０ｂ，５１ｂからなり両反射片５０ａ，５１ａの連結部位から上端側へ突出する第３反射片を備えている。
【００３６】
本実施形態の照明器具は、上記のようにソケット台７０，７１や安定器７２、ブレーカＢＫ１，ＢＫ２等が収納された筐体１と、第１反射部材４ａ，４ｂと、第２反射部材５とで構成され、第１反射部材４ａ，４ｂと第２反射部材５とは次のようにして筐体１に取り付けられている。まず、第１反射部材４ａ，４ｂは、図１に示すように、自身のねじ挿通孔（図示せず）を挿通させた固定ねじ８ａ…を、筐体１の固定片１３に螺入することで筐体１に取り付けられ、筐体１に取り付けられた状態では、第１反射部材４ａ，４ｂの対称線と蛍光ランプＬ１，Ｌ２の対称線Ｚとがそれぞれ略一致するようにしている。
【００３７】
また、第２反射部材５は、各反射片５０ａ，５１ａの前記ねじ挿通孔を挿通させた固定ねじ８ｂ…を筐体１の固定片１４のねじ孔（図示せず）にそれぞれ螺入するとともに、連通された両仕切り板５０ｂ，５１ｂのねじ挿通孔（図示せず）を介して固定ねじ８ｃ…，８ｄ…を、支持部材１５，１６のねじ孔にそれぞれ螺入することで、筐体１に取り付けられる。そして、第２反射部材５が筐体１に取り付けられた状態では、両反射片５０ａ，５１ａの上端縁の高さ位置が、表示パネル２，３の高さ方向（上下方向）の中央位置と同程度となるとともに、第３反射片が、蛍光ランプＬ１，Ｌ２の対称線Ｚ上に位置するようにしてあり、これにより蛍光ランプＬ１，Ｌ２の光が、第２反射部材５の前方と後方とに略均等に向かうようにして、照明器具の前面と後面とで輝度が略等しくなるようにしている。
【００３８】
次に、本実施形態の照明器具の動作について説明する。外部電源（図示しない）より照明器具に電力を供給すると、一対の安定器７２がソケット６０，６１にそれぞれ蛍光ランプＬ１，Ｌ２駆動用の電力を出力し、これにより蛍光ランプＬ１，Ｌ２がともに発光する。そして、蛍光ランプＬ１，Ｌ２の光は、第１反射部材４ａ，４ｂにより反射された光とともに筐体１の下側へ進み、一部が表示パネル２，３から外方へ出射され、一部が筐体１内の下端側に設けられた第２反射部材５で反射されて表示パネル２，３から外方へと出射される。このとき、本実施形態の照明器具は、筐体１内の上端側に光源となる蛍光ランプＬ１，Ｌ２を備えるものであるから、当然ながら、下端側へいくほど発光面（表示パネル２，３の表面）の輝度は低下することになるが、本実施形態の照明器具では、筐体１内の下端側に第２反射部材５を設けることによって、筐体１の下端側から外方へ出射される光の量を増やしているので、発光面の下端側において輝度が大幅に下がることを抑制して、良好な均斉度が得られる。
【００３９】
加えて、本実施形態では、表示パネル２，３の裏方に、上述したような蛍光ランプＬ１，Ｌ２に近接するほど遮光性が高くなる遮光シート６をそれぞれ配置することにより、図４（ｂ）に示すように、発光面の下端側に比べて輝度が高くなり易い発光面の上端側から外方へ出射される光の量を減らし、これにより、発光面のより一層の均斉化を図っている。尚、図４（ｂ）では、説明の簡略化のために第２反射部材５の前側反射板５０のみを図示している。
【００４０】
上記の遮光シート６による効果を説明するために、輝度計を用いて照明器具の発光面の輝度分布を測定した結果を図５（ａ），（ｂ）に示す。ここで、図５（ａ）は、遮光シート６を設けていない場合の、照明器具の後側の発光面（つまりは表示パネル３の表面）の輝度分布を示す図であり、領域Ｓ１，Ｓ２で輝度が最も高く、次いで、領域Ｓ３、領域Ｓ４，Ｓ６の順に輝度が低くなり、領域Ｓ５で輝度が最も低くなっている。一方、図５（ｂ）は、左半分（図中にＦ１で示す部分）には遮光シート６を設けず、右半分（図中にＦ２で示す部分）にのみ遮光シート６を設けた場合の、照明器具の前側の発光面（つまりは表示パネル２の表面）の輝度分布を示す図であり、領域Ｔ１で輝度が最も高く、次いで、領域Ｔ２，Ｔ３、領域Ｔ４の順に輝度が低くなり、領域Ｔ５で輝度が最も低くなっている。
【００４１】
したがって、図５（ａ），（ｂ）に示す発光面の輝度分布から明らかなように、遮光シート６を設けることによって、より一層、発光面の均斉化が図られていることがわかる。
【００４２】
以上述べたように本実施形態の照明器具によれば、筐体１内の上端側に表示パネル２，３と厚み方向で対向しないように配置された蛍光ランプＬ１，Ｌ２の光を、第１反射部材４ａ，４ｂにより下端側へ反射し、且つ下端側へ進む蛍光ランプＬ１，Ｌ２の光を筐体１内の下端側に設けた第２反射部材５の第１反射片５ａにより表示パネル２側へ反射するとともに、第２反射片５ｂにより表示パネル３側へ反射しているので、両面発光を行いながらも、筐体１の下端側から外方へ出射される光の量を増やして筐体１の下端側において輝度が大幅に下がることを抑制でき、これにより発光面の均斉度を向上できる。
【００４３】
そのため、従来の内照式の照明器具のように蛍光ランプと近い表示パネルの部位と、蛍光ランプから遠い表示パネルの部位とで輝度が大きく異なってしまうことがなく、これにより均斉度を確保しつつも、照明器具の薄型化を図ることができる。加えて、上述したように、本実施形態の照明器具は、導光板を用いずに、第１反射部材４ａ，４ｂと第２反射部材５とにより蛍光ランプＬ１，Ｌ２の光を反射させることで筐体１の外方へ光を出射させるので、従来の導光式の照明器具のように薄型化を図った際に発光面が暗くなってしまうことがなるから、結果として、均斉度及び明るさを確保しつつも薄型化を図ることができる。しかも、導光板のような厚みの厚いアクリル板等の高価で重量のある部材を用いていないから、照明器具の低コスト化及び軽量化を図ることができる。
【００４４】
その上、従来の内照式の照明器具のように複数の光源を発光面の裏面側に配置しなくても均斉度及び明るさを確保することが可能になるから、従来の内照式の照明器具に比べて蛍光ランプの数を減らすことが可能になり、これにより照明器具の省エネルギー化及び低コスト化が図れるとともに、蛍光ランプの交換を容易に行えるようになる。
【００４５】
加えて、蛍光ランプＬ１，Ｌ２に近接するほど遮光性が高くなる遮光シート６をそれぞれ設けているので、蛍光ランプＬ１，Ｌ２に近接する表示パネル２，３の上端側ほど輝度を抑えることができ、これにより、発光面の均斉度をさらに向上できる。
【００４６】
さらに、第１反射部材４ａの断面形状を図３（ａ）に示すようなインボリュート曲線形状としているので、図３（ｃ）に示す反射部材１００を用いる場合に比べて蛍光ランプＬ１，Ｌ２の下方光束を大きくでき、これにより照明器具の明るさを向上できる。
【００４７】
ところで、本実施形態の照明器具は、両面発光型のものであるから、例えば図６に示すように筐体１の後方に、太陽や、周囲の照明器具等の外部の光源Ｌ３があった場合、光源Ｌ３の光が筐体１内を通過する（表示パネル３を透過して筐体１内に入射し、筐体１内を通った後に、表示パネル２を透過して左方へと出射される）ことがあり、このとき、光源Ｌ３の光の一部が筐体１内の第２反射部材５等で遮られることによって、表示パネル２に影Ｄ（図６に網掛けで示す）が生じて表示パネル２の均斉度が悪くなるおそれがある。
【００４８】
そこで、本実施形態の照明器具では、図６に点線で図示したように、第２反射部材５に仕切り板５０ｂ，５１ｂからなる第３反射片を設けることで、一方の表示パネルを透過して筐体１内に入射した光が、他方の表示パネルを透過して外部へ出射されることがないようにしてあり、これにより一方の表示パネルの柄が他方の表示パネルに写り込んだり、照明器具の外部の光源（太陽や、周囲の照明器具）等の光によって筐体１や第２反射部５の第１反射片５０ａや第２反射片５０ｂの影が表示パネルに写ることを防止し、表示パネルの均斉度が悪化しないようにしている。
【００４９】
尚、照明器具の近傍に上記の光源Ｌ３のようなものがなく、影Ｄが生じるようなおそれがなければ、図６に示すように、第２反射部材５として、第３反射片を有していないもの（つまりは、第１反射片５０ａと第２反射片５１ｂとのみを有する断面逆Ｖ字状のもの）であってもよい。
【００５０】
また尚、遮光シート６のドットパターンとしては、図４（ａ）に示すものに限らず、例えば、下端側から上端側へいくほどドットが大きくなるようなドットパターンであってもよいし、ドットの密度と大きさとを組み合わせて蛍光ランプＬ１，Ｌ２に近接するほど遮光性が高くなるようなドットパターンであれば同様な効果を得ることができる。要は、蛍光ランプＬに近接するほど遮光性が高くなるようなドットパターンであればよく、さらに言えば、下端側から上端側へいくほど遮光性が高くなるような遮光部材であればよい。
【００５１】
一方、照明器具の形状は、上記の例に限られず、状況に応じて好適な形状とすればよく、蛍光ランプの数や、ソケットや安定器、ブレーカ等の電気回路の構成も状況に応じて適宜変更すればよい。
【図面の簡単な説明】
【００５２】
【図１】本発明の照明器具の一部を省略した概略説明図である。
【図２】（ａ）は、本発明の照明器具の一部を切り欠いた前面図であり、（ｂ）は、下面図である。
【図３】（ａ）は、本発明の第１反射部材の概略説明図であり、（ｂ）は、同図（ａ）の配光曲線図であり、（ｃ）は、比較例の反射部材の概略説明図であり、（ｄ）は、同図（ｃ）の配光曲線図である。
【図４】（ａ）は、本発明の照明器具に用いられる遮光シートの一例を示す説明図であり、（ｂ）は、本発明の照明器具の説明図である。
【図５】（ａ）は、本発明の照明器具において、遮光シートを設けていない場合の発光面の輝度分布を示す説明図であり、（ｂ）は、本発明の照明器具において、遮光シートを設けた場合の発光面の輝度分布を示す説明図である。
【図６】本発明の照明器具の他の例の概略説明図である。
【符号の説明】
【００５３】
１    筐体
２，３  表示パネル
４ａ  第１反射部材
５    第２反射部材
５０ａ  第１反射片
５０ｂ  第２反射片
【図１】
2007080681.tif 000003
【図２】
2007080681.tif 000004
【図３】
2007080681.tif 000005
【図４】
2007080681.tif 000006
【図５】
2007080681.tif 000007
【図６】
2007080681.tif 000008